(57)【要約】      （修正有）【課題】相手先のファクシミリ装置が両面印刷に対応している場合であっても、情報伝送に係る高効率性を実現する。【解決手段】発信元情報制御部は、受信能力判定部による判定結果に基づき、当該相手機が両面印刷に対応している旨の判定が下されたとき、複数ページにわたる送信原稿のうち、相互に隣接する奇数ページ又は偶数ページのうち少なくともいずれか一方に、発信元情報として、定型情報に代えて、当該定型情報とは異なるカスタマイズ情報を付加する。【選択図】図３
2009124207.tif 000002
【特許請求の範囲】
【請求項１】
自機と相手機間における複数ページにわたる各送信原稿の全てに発信元情報を付加して伝送する通信処理手段を備えたファクシミリ装置であって、
ある相手機とのデータ通信中に、当該相手機の受信能力を判定する受信能力判定手段と、
前記受信能力判定手段による判定結果に基づき、当該相手機が両面印刷に対応している旨の判定が下されたとき、前記複数ページにわたる送信原稿のうち、相互に隣接するページの少なくともいずれか一方に、前記発信元情報として、定型情報に代えて、当該定型情報とは異なるカスタマイズ情報を付加する発信元情報制御手段と、
を備えて構成されることを特徴とするファクシミリ装置。
【請求項２】
請求項１記載のファクシミリ装置であって、
前記発信元情報は、
送信原稿に係る先頭部分に付加されるものであり、
前記定型情報は、
発信元会社名、発信元所属名、発信元ファクシミリ番号、発信年月日、発信日時、発信元文書番号、送信原稿のページ番号のうち、一又は二以上の組み合わせからなる一方、
前記カスタマイズ情報は、
ファクシミリ通信に関連する情報である、
ことを特徴とするファクシミリ装置。
【請求項３】
請求項１記載のファクシミリ装置であって、
前記カスタマイズ情報は、
発信元会社に係るマーク、スローガン、コマーシャルメッセージのうち、一又は二以上の組み合わせからなる、
ことを特徴とするファクシミリ装置。
【請求項４】
請求項１記載のファクシミリ装置であって、
前記カスタマイズ情報は、
発信日に係る占い情報である、
ことを特徴とするファクシミリ装置。
【発明の詳細な説明】
【技術分野】
【０００１】
本発明は、自機と相手機間における複数ページにわたる各送信原稿の全てに発信元情報を付加して伝送する通信処理手段を備えたファクシミリ装置に係り、特に、相手先のファクシミリ装置が両面印刷に対応している場合であっても、情報伝送に係る高効率性を実現可能なファクシミリ装置に関する。
【背景技術】
【０００２】
近年のファクシミリ装置において、複数ページにわたる送信原稿に係る画像データを伝送するにあたり、受信先ファクシミリ装置において、記録紙の表裏両面に画像を形成させる旨を指定可能に構成したものが知られている。
【０００３】
かかる両面記録指定送信技術の一例として、特許文献１には、両面記録を指定して送信する画像と、片面記録を指定して送信する画像とを混在させて通信部から受信側へ送信する場合、主制御部は、片面記録を指定して送信する画像の他方の面の画像として、例えば白画像を付加し、すべて両面記録を指定して送信し、これによって、両面記録を指定して送信する通信手順をそのまま利用して片面記録に係る画像を送信することができ、また、両面記録を指定して送信する通信手順から片面記録を指定して送信する通信手順に切り換えるたびに通信手順をフェーズＢに戻すといった通信時間の無駄を省くようにした技術が開示されている。特許文献１に係る技術によれば、記録紙の両面に記録する画像と片面に記録する画像を混在させて画像を送信する場合に、通信時間を短縮することができる。
【０００４】
ところで、ファクシミリの受信画像データには、発信元の送信原稿に係る画像データの外に、各ページの所定の位置に発信元情報（会社名、所属名、ファクシミリ番号、年月日、日時、文書番号、ページ番号等）が付加されている。そして、受信側では、例えば各ページの先頭部分に発信元情報が印字されるようになっている（例えば特許文献２参照）。
【０００５】
しかしながら、相手先のファクシミリ装置が、特許文献１に記載の両面印刷に対応しており、かつ、特許文献２に記載の発信元情報付加技術をそのまま適用した場合、奇数ページ（表面）と偶数ページ（裏面）とでほぼ同一の発信元情報を付加して送信することになる。このため、受信側では、奇数ページ（表面）を見れば済む内容が、偶数ページ（裏面）にも重複して印刷されたファクシミリ文書が届くことになり、情報伝送に係る効率化を図る観点から改良の余地があった。
【０００６】
【特許文献１】特開２０００−１７５０１４号公報
【特許文献２】特開２００２−１０１２９２号公報
【発明の開示】
【発明が解決しようとする課題】
【０００７】
解決しようとする問題点は、相手先のファクシミリ装置が両面印刷に対応している場合に、既存の情報付加技術をそのまま適用したのでは、情報伝送に係る効率化を図れない点である。
【課題を解決するための手段】
【０００８】
本発明は、相手先のファクシミリ装置が両面印刷に対応している場合であっても、情報伝送に係る高効率性を実現可能なファクシミリ装置を得ることを目的として、自機と相手機間における複数ページにわたる各送信原稿の全てに発信元情報を付加して伝送する通信処理手段を備えたファクシミリ装置であって、ある相手機とのデータ通信中に、当該相手機の受信能力を判定する受信能力判定手段と、前記受信能力判定手段による判定結果に基づき、当該相手機が両面印刷に対応している旨の判定が下されたとき、前記複数ページにわたる送信原稿のうち、相互に隣接するページの少なくともいずれか一方に、前記発信元情報として、定型情報に代えて、当該定型情報とは異なるカスタマイズ情報を付加する発信元情報制御手段と、を備えて構成されることを最も主要な特徴とする。
【発明の効果】
【０００９】
本発明に係るファクシミリ装置は、自機と相手機間における複数ページにわたる各送信原稿の全てに発信元情報を付加して伝送する通信処理手段を備えたファクシミリ装置であって、ある相手機とのデータ通信中に、当該相手機の受信能力を判定する受信能力判定手段と、次述する発信元情報制御手段と、を備え、発信元情報制御手段は、前記受信能力判定手段による判定結果に基づき、当該相手機が両面印刷に対応している旨の判定が下されたとき、前記複数ページにわたる送信原稿のうち、相互に隣接するページの少なくともいずれか一方に、前記発信元情報として、定型情報に代えて、当該定型情報とは異なるカスタマイズ情報を付加するので、従って、相手先のファクシミリ装置が両面印刷に対応している場合であっても、受信側において、奇数ページ（表面）を見れば済む内容が、偶数ページ（裏面）にも重複して印刷されたファクシミリ文書が届くといった事態を未然に回避して、情報伝送に係る高効率性を実現することができる。
【発明を実施するための最良の形態】
【００１０】
相手先のファクシミリ装置が両面印刷に対応している場合であっても、情報伝送に係る高効率性を実現するといった目的を、受信能力判定手段による判定結果に基づき、当該相手機が両面印刷に対応している旨の判定が下されたとき、複数ページにわたる送信原稿のうち、相互に隣接するページの少なくともいずれか一方に、発信元情報として、定型情報に代えて、当該定型情報とは異なるカスタマイズ情報を付加する発信元情報制御手段により実現した。
【実施例】
【００１１】
以下、本発明実施例に係るファクシミリ装置について、図面を参照しつつ詳細に説明する。
【００１２】
なお、以下において、本発明実施例に係るファクシミリ装置として、ファクシミリ通信機能の他に、コピー機能、プリンタ機能、スキャナ機能等の画像形成に関する多様な機能を備えたデジタル複合機を例示して説明する。
【００１３】
［本発明実施例に係るファクシミリ装置（デジタル複合機）の概略構成］
図１は、本発明実施例に係るファクシミリ装置（デジタル複合機）の概略構成を示す機能ブロック図、図２は、同ファクシミリ装置（デジタル複合機）における操作パネル部の外観図である。
【００１４】
本発明実施例に係るファクシミリ装置１０は、自機と相手機間における複数ページにわたる各送信原稿の全てに発信元情報を付加して伝送する通信処理機能を有する。すなわち、本装置１０は、ファクシミリ通信ジョブの他に、コピージョブ、印刷ジョブ、又はネットワーク送信（メール送信やデータ送信）ジョブを含む諸機能が利用可能であり、マイクロコンピュータ及び専用のハードウェア回路等から構成される主制御部１１によって制御される。この主制御部１１に接続され諸機能を担う入出力機器として、本装置１０は、スキャナ部２１、画像処理部３１、エンジン部４１、操作パネル部５１、ＨＤＤ（ハードディスクドライブ）６１、ネットワークＩ／Ｆ（インタフェース）部６３、並びに、ファクシミリ通信部６５を備える。
【００１５】
主制御部１１は、スキャナ機能を実現するための動作制御を行うスキャナコントローラ１３、コピー機能を実現するための動作制御を行うコピーコントローラ１５、プリンタ機能を実現するための動作制御を行うプリンタコントローラ１７、並びに、ファクシミリ機能を実現するための動作制御を行うファクシミリコントローラ１９（本発明の「通信処理手段」の一部を構成する。）、を内蔵し、本装置全体の動作を統括制御する。
【００１６】
スキャナ部２１は、図示しないスキャナを構成する画像照射ランプ２３及びＣＣＤ（電荷結合素子：Charge  Coupled  Device）センサ２５を含む。スキャナ部２１は、画像照射ランプ２３により原稿を照射し、その反射光をＣＣＤセンサ２５で受光することにより、原稿から画像を読み取り、読み取った画像に対応する画像データを画像処理部３１へ出力する。
【００１７】
画像処理部３１は、補正部３３、画像加工部３５及び画像メモリ３７を含む。画像処理部３１は、スキャナ部２１で読み取られた画像データを必要に応じて補正部３３及び画像加工部３５により処理し、処理された画像データを画像メモリ３７に記憶したり、エンジン部４１、ファクシミリ通信部６５等へ出力する。補正部３３は、スキャナ部２１で読み取られた画像データに対してレベル補正、Ｙ補正等の所定の補正処理を行う。画像加工部３５は、画像データの圧縮又は伸張処理、及び拡大又は縮小処理等の種々の加工処理を行う。
【００１８】
エンジン部４１は、図示しない給紙カセットや給紙ローラ等から構成される用紙搬送部４３、図示しない感光体ドラム、露光装置、現像装置等から構成される画像形成部４５、図示しない転写ローラ等から構成される転写部４７、及び図示しない定着ローラ等から構成される定着部４９を含む。エンジン部４１は、スキャナ部２１で読み取られた画像データ、ネットワークＩ／Ｆ部６３を介してＬＡＮ（Local  Area  Network）によりクライアントＰＣ（パーソナルコンピュータ）等から送信された画像データ、ファクシミリ通信部６５を用いて外部のファクシミリ装置等から受信したファクスデータ等の画像データを用いて画像を用紙に印刷する。具体的には、用紙搬送部４３は用紙を画像形成部４５へ搬送し、画像形成部４５は上記の画像データに対応するトナー像を形成し、転写部４７はトナー像を用紙に転写し、定着部４９はトナー像を用紙に定着させて画像を形成する。
【００１９】
操作パネル部５１は、図１及び図２に示すように、タッチパネル部５３及び操作キー部５５を含む。操作パネル部５１は、ユーザがファクシミリ機能、スキャナ機能、プリンタ機能、コピー機能等に関する操作を行うために使用され、ユーザによる操作指令等を主制御部１１に与える。
【００２０】
タッチパネル部５３は、タッチパネルとカラーＬＣＤ（Liquid  Crystal  Display）とを組み合わせたタッチパネルユニット等から構成され、種々の操作画面、例えば、コピー機能実行時には、原稿サイズ、コピーサイズ、複写部数等に関する情報を表示するとともに、ユーザが該当部分をタッチすることにより種々の操作指令を入力するための操作ボタン類を表示する。
【００２１】
操作キー部５５は、ユーザの操作入力を受付けるための複数の操作キーを備えており、例えば、ファクシミリ機能、コピー機能、プリンタ機能、スキャナ機能、などの諸機能のなかから、所要機能のキー入力操作をユーザが選択的に実行する際に用いられる。具体的には、例えば、ファクシミリ機能の利用時にユーザが送信宛先Ｆａｘ番号を選択するためのテンキー入力操作を行う際や、ワンタッチダイヤル、短縮ダイヤルに係る入力操作を行う際に用いられる。
【００２２】
ＨＤＤ（ハードディスクドライブ）６１は、スキャナ部２１によって読み取られた画像データ及び同画像データに設定されている出力形式等の種々のデータ等を記憶する。ＨＤＤに記憶されている画像データは、画像形成装置、プログラム及び記録媒体内部で使用されるだけでなく、必要に応じて、ネットワークＩ／Ｆ部６３を介してクライアントＰＣ等から確認したり、クライアントＰＣやＦＴＰサーバ等の所定のフォルダへ転送される。
【００２３】
ネットワークＩ／Ｆ部６３は、ネットワークインタフェース（１０／１００Ｂａｓｅ−ＴＸ）等を用い、ＬＡＮを介して接続されたクライアントＰＣ等のユーザ端末６７に対する種々のデータの送受信を制御する。
【００２４】
ファクシミリ通信部（本発明の「自機と相手機間における複数ページにわたる各送信原稿の全てに発信元情報を付加して伝送する通信処理手段」に相当する。）６５は、スキャナ部２１によって読み取られた送信原稿の画像データを公衆回線網７１を介して相手機７３へ送信したり、相手機７３から送信されてきた画像データを受信する機能を有し、符号化／復号化部６７、変復調部６８、及び網制御部６９を含んで構成されている。
【００２５】
符号化／復号化部６７は、送信原稿に係る画像データの圧縮及び符号化を行なうとともに、受信した画像データの伸長及び復号化を行なう機能を有している。
【００２６】
変復調部６８は、圧縮／符号化された画像データの音声信号への変調、並びに受信した音声信号の画像データへの復調を行なう機能を有している。
【００２７】
網制御部６９は、ＮＣＵ（Network Control Unit）に相当し、公衆回線網７１網にダイヤル信号を送出する等の網制御を行う機能を有している。
【００２８】
ところで、相手先のファクシミリ装置が両面印刷に対応している場合であっても、情報伝送に係る高効率性を実現するために、主制御部１１に内蔵されるファクシミリコントローラ１９は、相手機の受信能力を含む相手機情報を取得する相手機情報取得部７５と、ある相手機とのデータ通信中に、当該相手機の受信能力を判定する受信能力判定部（本発明の「受信能力判定手段」に相当する。）７７と、発信元において相手先毎に予め用意しておいたカスタマイズ情報が、相手先と関連付けて記憶されるカスタマイズ情報記憶部７８と、受信能力判定部７７による判定結果に基づき、当該相手機が両面印刷に対応している旨の判定が下されたとき、複数ページにわたる送信原稿のうち、相互に隣接するページの少なくともいずれか一方に、発信元情報として、定型情報に代えて、当該定型情報とは異なるカスタマイズ情報を付加する発信元情報制御部（本発明の「発信元情報制御手段」に相当する。）７９と、を備えて構成されている。なお、定型情報としては、例えば、発信元会社名、発信元所属名、発信元ファクシミリ番号、発信年月日、発信日時、発信元文書番号、送信原稿のページ番号のうち、一又は二以上の組み合わせを採用することができる。一方、カスタマイズ情報としては、例えば、ファクシミリ通信に関連する情報として、通信モード（例えば、Ｆコード通信か、同報通信か、親展通信か、タイマ予約通信か、ダイレクト通信か、ポーリング通信か、など）、Ｆコードアドレス、同報宛先アドレス、又は、ファクシミリ文書が表面か裏面かに係る表裏情報などを適宜採用することができる。
【００２９】
［本発明実施例に係るファクシミリ装置の動作］
次に、本発明実施例に係るファクシミリ装置の動作の流れについて、図３及び図４を参照して説明する。図３は、ファクシミリ装置（自機）１０の動作フローチャートを示し、図４（１）は、発信元情報として、定型情報が付加された奇数ページ（表面）のファクシミリ文書に係る説明図を示し、図４（２）は、発信元情報として、カスタマイズ情報が付加された偶数ページ（裏面）のファクシミリ文書に係る説明図を示す。
【００３０】
まず、相手機７３が両面印刷に対応していない場合の、ファクシミリ送信手順に係る処理の流れについて説明する。
【００３１】
図３に示すように、ファクシミリ送信に先立って、主制御部（ファクシミリコントローラ１９を含む。以下、同じ。）１１は、相手機７３の電話番号を発呼し、所定の規約に従って相手機７３との間でネゴシエーションを行うことを通じて、相手機７３の受信能力を含む相手機情報を取得する（ステップＳ１１）。次いで、主制御部１１は、ステップＳ１１で取得した相手機情報に基づいて、相手機７３が両面印刷に対応しているか否かに係る受信能力判定を行う（ステップＳ１２）。
【００３２】
ステップＳ１３において、主制御部１１は、送信原稿に係る画像データが、偶数ページか、又は奇数ページか、に係る奇偶ページ判定を行う（ステップＳ１３）。
【００３３】
ステップＳ１３に係る奇偶ページ判定の結果、送信原稿が奇数ページ（ファクシミリ文書の表面に相当する。以下、同じ。）である旨の判定が下されたとき、主制御部１１は、処理の流れを次のステップＳ１４へと進ませる。一方、ステップＳ１３に係る奇偶ページ判定の結果、送信原稿が偶数ページ（ファクシミリ文書の裏面に相当する。以下、同じ。）である旨の判定が下されたとき、主制御部１１は、処理の流れを次のステップＳ１８へと進ませる。ステップＳ１８では、発信元情報制御部７９は、ステップＳ１２に係る受信能力判定結果を参照して、相手機７３が両面印刷に対応しているか否かに係る両面印刷対応可否判定結果に基づき、進むべき処理の流れを分岐させている。さて本例の場合、その前提条件から、相手機７３は両面印刷に対応していないので、主制御部１１は、処理の流れをステップＳ１４へと進ませることになる。
【００３４】
ステップＳ１４では、発信元情報制御部７９は、発信元情報として、例えば、発信元会社名、発信元所属名、発信元ファクシミリ番号、発信年月日、発信日時、発信元文書番号、送信原稿のページ番号のうち、一又は二以上の組み合わせに係る定型情報を選択し、この選択した定型情報を、発信元情報として設定する。これを受けて主制御部１１は、ステップＳ１４で設定された定型情報を、奇数ページの送信原稿（表面）のうち先頭部分に付加することで、例えば図４（１）に示すように、送信原稿（表面）に係る画像データを作成する（ステップＳ１５）。
【００３５】
次に、主制御部１１は、ステップＳ１５で作成された送信原稿に係る画像データをもって、相手機７３ヘの送信処理をファクシミリ通信部６５に実行させる旨の指令信号を送出する。これを受けて、ファクシミリ通信部６５は、ステップＳ１５で作成された送信原稿に係る画像データをもって、相手機７３ヘの送信処理を実行する（ステップＳ１６）。
【００３６】
さて、主制御部１１は、１ページのファクシミリ送信処理が終了する毎に、自機１０から相手機７３宛の、ＤＣＮ（Disconnect）信号（切断命令信号）の送信有無を監視している（ステップＳ１７）。ステップＳ１７に係る監視の結果、主制御部１１は、ＤＣＮ信号の送信を検知しない旨の判定が下されたとき、処理の流れをステップＳ１３へと戻し、以下の処理を順次実行させる一方、ＤＣＮ信号の送信を検知すると、一連の送信処理を終了させる。
【００３７】
上述したステップＳ１１〜Ｓ１７が、相手機７３が両面印刷に対応していない場合の、ファクシミリ送信手順に係る処理の流れである。
【００３８】
次に、相手機７３が両面印刷に対応している場合の、本発明実施例の主題となるファクシミリ送信手順に係る処理の流れについて説明する。なお、相手機が両面印刷に対応しているとは、相手機が両面印刷機能を有しており、かつ、受信したファクシミリ文書を両面印刷モードで印刷出力する旨の設定がなされていることを意味する。
【００３９】
さて、図３に示すように、ステップＳ１８に係る両面印刷対応可否判定の結果、相手機７３が両面印刷に対応している旨の判定が下されたとき、発信元情報制御部７９は、発信元情報として、カスタマイズ情報を選択する（ステップＳ１９）。具体的には、発信元情報制御部７９は、カスタマイズ情報記憶部７８の記憶内容のなかから当該相手機７３に係るカスタマイズ情報を読み出して、この読み出したカスタマイズ情報を、発信元情報として設定する。これを受けて主制御部１１は、ステップＳ１９で設定されたカスタマイズ情報を、偶数ページの送信原稿（裏面）のうち先頭部分に付加することで、例えば図４（２）に示すように、送信原稿（裏面）に係る画像データを作成する（ステップＳ１５）。
【００４０】
ここで、カスタマイズ情報としては、例えば、ファクシミリ通信に関連する情報として、通信モード（例えば、Ｆコード通信か、同報通信か、親展通信か、タイマ予約通信か、ダイレクト通信か、ポーリング通信か、など）、Ｆコードアドレス、同報宛先アドレス、又は、ファクシミリ文書が表面か裏面かに係る表裏情報、発信元会社に係るマーク、スローガン、コマーシャルメッセージ、発信日に係る占い情報、又は、ユーザにより適宜作成される編集可能な情報などの情報群のなかから選択される、一又は二以上の組み合わせに係る情報のうち、相手先の事情を考慮した適切な情報を、適宜設定すればよい。具体的には、例えば、相手先が自社の商品を購入している顧客である場合には、自社商品のコマーシャルメッセージや、自社商品を使用している顧客に対するお礼のメッセージを、カスタマイズ情報として設定することなどが考えられる。このようにすれば、発信元情報に係るスペースを無駄なく有効に活用することができるのに加えて、情報提示の自由度を高めるといった副次的な効果をも期待することができる。
【００４１】
［実施例の効果］
以上説明したように、本発明実施例に係るファクシミリ装置１０によれば、発信元情報制御部７９は、受信能力判定部７７による判定結果に基づき、当該相手機７３が両面印刷に対応している旨の判定が下されたとき、複数ページにわたる送信原稿のうち、相互に隣接する奇数ページ又は偶数ページのうち少なくともいずれか一方に、発信元情報として、定型情報に代えて、当該定型情報とは異なるカスタマイズ情報を付加するので、従って、相手機７３が両面印刷に対応している場合であっても、受信側において、奇数ページ（表面）を見れば済む内容が、偶数ページ（裏面）にも重複して印刷されたファクシミリ文書が届くといった事態を未然に回避して、情報伝送に係る高効率性を実現することができる。
【００４２】
また、相手先毎に用意されるカスタマイズ情報として、例えば、相手先が自社の商品を購入している顧客である場合には、自社の商品のコマーシャルメッセージや、自社商品を使用していることに対するお礼のメッセージを、カスタマイズ情報として設定するといったように、相手先の事情を考慮した適切な情報を設定するように構成した場合には、発信元情報に係るスペースを無駄なく有効に活用することができるのに加えて、情報提示の自由度を高めるといった副次的な効果をも期待することができる。
【００４３】
［その他］
本発明は、上述した実施例に限られるものではなく、請求の範囲及び明細書全体から読み取れる発明の要旨、あるいは技術思想に反しない範囲で適宜変更可能であり、そのような変更を伴うファクシミリ装置もまた、本発明における技術的範囲の射程に包含されるものである。
【００４４】
すなわち、例えば、本発明実施例において開示したカスタマイズ情報は、あくまでも例示的に列挙したものに過ぎない。従って、本発明は、本発明実施例において開示したもの以外のカスタマイズ情報であって、受信側に提示して好ましい情報であれば、いかなる情報をも採用することができることはいうまでもない。
【図面の簡単な説明】
【００４５】
【図１】本発明実施例に係るファクシミリ装置の概略構成を示すブロック図である。
【図２】本ファクシミリ装置における操作パネル部の外観図である。
【図３】本ファクシミリ装置の動作フローチャート図である。
【図４】図４（１）は、発信元情報として、定型情報が付加された奇数ページ（表面）のファクシミリ文書に係る説明図、図４（２）は、発信元情報として、カスタマイズ情報が付加された偶数ページ（裏面）のファクシミリ文書に係る説明図である。
【符号の説明】
【００４６】
１１  主制御部
１９  ファクシミリコントローラ（通信処理手段）
６５  ファクシミリ通信部（通信処理手段）
７３  相手機
７５  相手機情報取得部
７７  受信能力判定部（受信能力判定手段）
７８  カスタマイズ情報記憶部
７９  発信元情報制御部（発信元情報制御手段）
【図１】
2009124207.tif 000003
【図２】
2009124207.tif 000004
【図３】
2009124207.tif 000005
【図４】
2009124207.tif 000006